(57)【要約】【課題】コーヒー豆の粉砕時の騒音や振動を低減し、コーヒー粉砕室の磨耗を抑えたコーヒー沸かし器を提供する。【解決手段】コーヒー豆（図示せず）を収納するコーヒー豆収納室１５と、モーター１８で回転駆動される主カッター１９を内設するコーヒー豆粉砕室１７と、コーヒー豆粉砕室１７で粉砕されたコーヒー豆を収納するコーヒー抽出室２３と、水容器１３から導入される水を加熱して湯を給湯路１４を通してコーヒー抽出室２３に供給する加熱手段１１と、コーヒー抽出室２３からのコーヒー抽出液を貯える保管容器２５を備え、コーヒー豆粉砕室１７の内壁と主カッター１９間に円盤状カッター２２を備えたもので、コーヒー豆は円盤状カッター２２でも粉砕されるので、振動や騒音が抑えられ、また主カッター１９によるコーヒー豆の前記内壁に叩きつけられる量が減り、同内壁の磨耗を低減する事ができる。【選択図】図１
2006346061.tif 000002
【特許請求の範囲】
【請求項１】
コーヒー豆を収納するコーヒー豆収納室と、モーターで回転駆動される主カッターを内設するコーヒー豆粉砕室と、前記コーヒー豆粉砕室で粉砕された前記コーヒー豆を収納するコーヒー抽出室と、水を収納する水容器と、前記水容器から導入される水を加熱して湯を給湯路を通して前記コーヒー抽出室に供給する加熱手段と、前記コーヒー抽出室から抽出されたコーヒー抽出液を貯える保管容器を備え、前記コーヒー豆粉砕室の内壁と前記主カッターとの間に円盤状カッターを備えたコーヒー沸かし器。
【請求項２】
円盤状カッターは、突起状の刃を複数有する請求項１に記載のコーヒー沸かし器。
【請求項３】
円盤状カッターは回転駆動されると共にその回転速度を変更できるようにした請求項１又は２に記載のコーヒー沸かし器。
【請求項４】
主カッターと円盤状カッターとの隙間を調整できるようにした請求項１〜３のいずれか１項に記載のコーヒー沸かし器。
【請求項５】
コーヒー豆収納室とコーヒー粉砕室の間に、給湯路に連通し湯を吐出する吐出口を設けた請求項１〜４のいずれか１項に記載のコーヒー沸かし器。
【請求項６】
コーヒー豆収納室とコーヒー粉砕室の間に、前記コーヒー豆収納室からのコーヒー豆の流入を制御する流入制御手段を設けた請求項１〜５のいずれか１項に記載のコーヒー沸かし器。
【請求項７】
コーヒー豆収納室を、本体に着脱自在とし、且つ内部が見えるように形成した請求項１〜６のいずれか１項に記載のコーヒー沸かし器。
【発明の詳細な説明】
【技術分野】
【０００１】
本発明は、コーヒー沸かし器に関するもので、特に、コーヒー豆の粉砕装置を備え、粉砕したコーヒー粉に湯を注いでコーヒー液を抽出するコーヒー沸かし器に関するものである。
【背景技術】
【０００２】
従来の、この種のコーヒー沸かし器は、カッターを高速回転させコーヒー豆を粉砕室の内壁に衝突させて粉砕して、金属製のフィルターからコーヒー粉をコーヒー抽出室に落とし、そのコーヒー抽出室にお湯を注ぎコーヒーを抽出するようにしたのが一般的であった（例えば、特許文献１参照）。
【０００３】
図３は、上記特許文献１に記載された従来のコーヒー沸かし器を示すものである。同図に示すように、従来のコーヒー沸かし器は、水容器１と、水を加熱する加熱手段２と、加熱手段２から供給される湯をコーヒー抽出室３に送る給湯路４と、コーヒー豆収納室９と、モーター８により回転駆動されるカッター５でコーヒー豆を粉砕するコーヒー豆粉砕室６とコーヒー抽出液を保管する保管容器７で構成されている。
【特許文献１】特開平５−１５４０５４号公報
【発明の開示】
【発明が解決しようとする課題】
【０００４】
しかしながら、前記従来のコーヒー沸かし器の構成では、コーヒー豆をカッター５とコーヒー豆粉砕室６の内壁に衝突させるので、振動や騒音が大きくなったり、コーヒー豆を内壁に衝突させることにより内壁が磨耗しやすいなどの課題があった。
【０００５】
本発明は、前記従来の課題を解決するもので、内壁に叩きつけられるコーヒー豆の量を低減し、効率的にコーヒー豆を粉砕し、振動や騒音が少ないコーヒー沸かし器を提供することを目的とする。
【課題を解決するための手段】
【０００６】
前記従来の課題を解決するために、本発明のコーヒー沸かし器は、コーヒー豆を収納するコーヒー豆収納室と、モーターで回転駆動される主カッターを内設するコーヒー豆粉砕室と、前記コーヒー豆粉砕室で粉砕された前記コーヒー豆を収納するコーヒー抽出室と、水を収納する水容器と、前記水容器から導入される水を加熱して湯を給湯路を通して前記コーヒー抽出室に供給する加熱手段と、前記コーヒー抽出室から抽出されたコーヒー抽出液を貯える保管容器を備え、前記コーヒー豆粉砕室の内壁と前記主カッターとの間に円盤状カッターを備えたもので、コーヒー豆は主カッターだけでなく円盤状カッターでも効率良く粉砕されるので、振動や騒音が抑えられ、また主カッターによってコーヒー豆粉砕室の内壁に叩きつけられる量が減るので、コーヒー豆粉砕室の内壁の磨耗を低減する事ができる。
【発明の効果】
【０００７】
本発明のコーヒー沸かし器は、振動、騒音を抑え、またコーヒー豆粉砕室の磨耗を低減する事ができる。
【発明を実施するための最良の形態】
【０００８】
第１の発明は、コーヒー豆を収納するコーヒー豆収納室と、モーターで回転駆動される主カッターを内設するコーヒー豆粉砕室と、前記コーヒー豆粉砕室で粉砕された前記コーヒー豆を収納するコーヒー抽出室と、水を収納する水容器と、前記水容器から導入される水を加熱して湯を給湯路を通して前記コーヒー抽出室に供給する加熱手段と、前記コーヒー抽出室から抽出されたコーヒー抽出液を貯える保管容器を備え、前記コーヒー豆粉砕室の内壁と前記主カッターとの間に円盤状カッターを備えたもので、コーヒー豆は主カッターだけでなく円盤状カッターでも効率良く粉砕されるので、振動や騒音が抑えられ、また主カッターによってコーヒー豆粉砕室の内壁に叩きつけられる量が減るので、コーヒー豆粉砕室の内壁の磨耗を低減する事ができる。
【０００９】
第２の発明は、特に、第１の発明の円盤状カッターは、突起状の刃を複数有するもので、コーヒー豆の磨り潰しをより効果的に行うことができる。
【００１０】
第３の発明は、特に、第１又は第２の発明の円盤状カッターは回転駆動されると共にその回転速度を変更できるようにしたもので、使用者の好みに応じてコーヒー豆の粉砕時の粒度を変えたり、微粉を低減することができる。
【００１１】
第４の発明は、特に、第１〜３のいずれか一つの発明の主カッターと円盤状カッターとの隙間を調整できるようにしたもので、使用者の好みに応じて、コーヒー豆の粉砕時の粒度を調整することができる。
【００１２】
第５の発明は、特に、第１〜４のいずれか一つの発明のコーヒー豆収納室とコーヒー粉砕室の間に、給湯路に連通し湯を吐出する吐出口を設けたもので、コーヒー豆粉砕室を濡らすことなく、コーヒー豆粉砕室の洗浄を行うことができるので、容易に連続してコーヒーを抽出する事ができる。
【００１３】
第６の発明は、特に、第１〜５のいずれか一つの発明のコーヒー豆収納室とコーヒー粉砕室の間に、前記コーヒー豆収納室からのコーヒー豆の流入を制御する流入制御手段を設けたもので、例えば、主カッターを回転後に流入制御手段を動作させてコーヒー豆をコーヒー粉砕室に投入するようにすれば、粉砕当初の粉砕音の低減とカッターを回転させる際のモーターのトルクを小さくすることができ、モーターの小型化、ひいては、コーヒー沸かし器の小型化が図れる。
【００１４】
第７の発明は、特に、第６の発明のコーヒー豆収納室を、本体に着脱自在とし、且つ内部が見えるように形成するもので、例えば、コーヒー豆収納室を透明又は半透明材料で形成して内部が見えるようにすれば、着脱式の水容器に水を入れるが如く、コーヒー豆を容易に規定量まで入れることができ、使用勝手の良いコーヒー沸かし器を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態におけるコーヒー沸かし器の断面図である。
【００１７】
図１において、電気ヒーター等の加熱手段１１を内設した基台１２の一側には、水を収納する水容器１３が着脱自在に設置されている。そして上記水容器１３からの水は、加熱手段１１を通り、先端が基台１２の所定上方に至る給湯路１４を流動するようにしてある。
【００１８】
基台１２の上部には、コーヒー豆を収納するコーヒー豆収納室１５と、コーヒー豆をコーヒー豆収納室１５に投入する際に開ける蓋１６と、コーヒー豆粉砕室１７と、コーヒー豆粉砕室１７に内設されると共にモーター１８で回転駆動される主カッター１９と、主カッター１９とコーヒー豆粉砕室１７の一内壁（図では、右側壁）との間に位置し、突起状の刃２１を複数有し、減速機２０を介してモーター１８で回転駆動される円盤状カッター２２を配設してある。
【００１９】
コーヒー豆粉砕室１７で粉砕されたコーヒー豆はコーヒー豆粉砕室１７の底部に設けられた金属製のフィルター２７を通り、コーヒー抽出室２３に送り込まれ、コーヒー豆収納室１５に設けられた給湯路１４の熱湯の吐出口２４からの熱湯でコーヒー豆収納室１５、コーヒー豆粉砕室１７を湯で洗浄しながらコーヒー抽出室２３内のコーヒー粉に湯を注ぐように構成されている。
【００２０】
コーヒー抽出室２３で抽出されたコーヒー液は保管容器２５に蓄えられる。なお、コーヒー豆の粉砕終了は、振動センサー２６により、コーヒー豆の粉砕が終了した時点の振動終了を検知することで制御されるように構成されている。また減速機２０の減速比は複数段のギアを調整したり、モーター１８に印加される電圧を調整することで変更できるように構成されている。
【００２１】
以上のように構成されたコーヒー沸かし器について、以下その動作、作用を説明する。
【００２２】
まず、蓋１６を開けてコーヒー豆をコーヒー豆収納室１５に投入すると、その一部がコーヒー豆粉砕室１７に入る。モーター１８により主カッター１９が回転し、コーヒー豆を叩いてコーヒー豆粉砕室１７の内壁に打ち付けて砕きながら、コーヒー豆をコーヒー収納室１７の奥に引き込む。
【００２３】
減速機２０により主カッター１９の回転数と異なる回転数で回転する円盤状のカッター２２の突起部２１でさらに細かく砕かれ、コーヒー豆粉砕室１７の下部に設けられたフィルター２７の網目よりも小さくなった時点でコーヒー抽出室２３に蓄えられる。コーヒー豆の粉砕終了が振動センサー２６により検知された後、続いて水容器１３から供給される水が加熱手段１１で加熱されて熱湯となり、そのときの蒸気圧の作用により給湯路１４を上昇し、吐出口２４から、コーヒー豆収納室１５とコーヒー豆粉砕室１７を洗浄しながらコーヒー抽出室２３に到達し、コーヒー粉の上に散水される。抽出されたコーヒー液はコーヒー抽出室２３の下方に置いた保管容器２５に蓄えられる。
【００２４】
以上のように、本実施の形態によれば、従来の主カッター１９のみならず、円盤状カッター２２を使用することにより、コーヒー豆粉砕室１７の内壁に叩きつけられるコーヒー豆の量が減り、しかも円盤状のカッター２２でも粉砕するので振動や騒音が抑えられ、またコーヒー豆粉砕室１７の内壁の磨耗を低減する事ができる。
【００２５】
また、円盤状カッター２２が突起状の刃を有しているので、叩きつける従来のカッターやスライス状の刃などのカッターよりも効率的にコーヒー豆を磨り潰すことができる。
【００２６】
また、減速機２２により円盤状カッター２２の回転速度を変更することができるので、好みに応じて粉砕の大きさを調整したり、粉砕スピードを遅くすることでコーヒーの味に悪影響を与える微粉を減少させることができる。
【００２７】
（実施の形態２）
図２は、本発明の第２の実施の形態におけるコーヒー沸かし器の断面図である。なお、上記第１の実施の形態と同一部分については同一符号を付してその説明を省略し、相違点についてのみ説明する。
【００２８】
本実施の形態は、図２に示すように、着脱自在で外周に目盛を有し透明な樹脂で作られコーヒー豆を収納するコーヒー豆収納室３０と、ソレノイドなどからなる開閉手段３２で駆動されると共にコーヒー豆収納室３０の底部を開閉する流入制御手段である蓋３１を、基台１２の上部で、かつコーヒー豆収納室３０からコーヒー豆粉砕室１７へと繋がる通路３３の上部に構成したものである。この通路３３の途中に湯の吐出口２４が設けられている。またモーター１８により駆動される主カッター１９と、主カッター１９に対向して設けられ減速機２０を介して回転する円盤状カッター２２との隙間３５は、調整手段３４によってモーター１８を前後に動かして調整できるように構成されている。
【００２９】
以上のように構成されたコーヒー沸かし器について、以下その動作、作用を説明する。
【００３０】
開閉手段３２を駆動して蓋３１を閉じ、コーヒー豆収納室３０の上部開口部から規定の量のコーヒー豆をコーヒー豆収納室３０に投入する。次にモーター１８を運転して、主カッター１９と円盤状カッター２２の隙間３５を調整手段３４により調整する。主カッター１９と円盤状カッター２２を回転させた後に、開閉手段３２により蓋３１を開くと、通路３３をコーヒー豆が通過し、コーヒー豆粉砕室１７に落下する。コーヒー豆粉砕室１７の中で主カッター１９と円盤状カッター２２でコーヒー豆は砕かれ、コーヒー粉がコーヒー豆粉砕室１７の下部にあるフィルター２７を通り、コーヒー抽出室２３に溜まる。
【００３１】
コーヒー豆の粉砕の終了が振動センサー２６により検知されると、加熱手段１１に通電が開始され、水容器１３内の水が加熱されコーヒー抽出が始まる。
【００３２】
また、本実施の形態によれば、コーヒー豆収納室３０を透明又は半透明材で形成しかつ着脱自在に構成したので、コーヒー豆を、着脱自在の水容器に水を入れるが如く規定の量を容易に入れることができる。
【００３３】
また、コーヒー豆収納室３０の蓋３１を主カッター１９や円盤状カッター２２が回転してから開くようにしているので、主カッター１９の回転当初に生じる騒音が軽減され、モーター１８の起動トルクも小さくすることができ、ひいては、コーヒー沸かし器も小型化することができる。
【００３４】
また、主カッター１９と円盤状カッター２２の隙間３５を調整する事ができるので、好みに応じて、粉砕時のコーヒー粉の粒度を変えることができる。
【００３５】
また、コーヒー豆収納室３０を着脱自在にし、湯の吐出口２４をコーヒー豆収納室３０とコーヒー豆粉砕室１７との間に設けたことで、連続してコーヒーを抽出するときにコーヒー豆収納室３０が濡れていないまた、濡れていたとしても容易に拭くことができるので、容易に連続してコーヒーを抽出することができる。
【産業上の利用可能性】
【００３６】
以上のように、本発明にかかるコーヒー沸かし器は、主カッターと円盤状のカッターの複数のカッターで効率的にコーヒー豆を粉砕することができるのでコーヒーのみならず従来細かく粉砕し難かった大豆などの豆類による飲料も効率的に抽出するなどの用途にも適用できる。
【図面の簡単な説明】
【００３７】
【図１】本発明の実施の形態１におけるコーヒー沸かし器の断面図
【図２】本発明の実施の形態２におけるコーヒー沸かし器の断面図
【図３】従来のコーヒー沸かし器の断面図
【符号の説明】
【００３８】
１１  加熱手段
１３  水容器
１４  給湯路
１５、３０  コーヒー豆収納室
１７  コーヒー豆粉砕室
１８  モーター
１９  主カッター
２２  円盤状カッター
２３  コーヒー抽出室
２４  吐出口
２５  保管容器
３１  蓋（流入制御手段）
３５  隙間
【図１】
2006346061.tif 000003
【図２】
2006346061.tif 000004
【図３】
2006346061.tif 000005